(57)【特許請求の範囲】
【請求項１】
円筒刃部を有し、前記円筒刃部によってブロック体に前記ブロック体の長さ方向に延在する穴部を形成するための穴形成具と、
支持棒及び前記支持棒の先端側に連設された切刃部を有し、前記穴部に挿入可能であり、前記穴部よりも奥方において、前記ブロック体を長さ方向及び幅方向に切開し、内部が、奥方に向かうにつれて幅方向に拡幅し、かつ厚み方向に閉合状態とされた、拡幅部を形成するための切開具と、
を有する、臓器モデルの製造装置。
【請求項２】
前記ブロック体を保持するための保持具を有し、
前記保持具は、基板と、前記基板の両側部に立設された一対の側板と、前記基板の端部に立設された端板と、前記端板に設けられて前記穴部の形成位置を定めるための位置決め孔とを有する、
請求項１に記載の臓器モデルの製造装置。
【請求項３】
前記穴部に挿入可能なシースを有し、
前記穴形成具は、前記円筒刃部の基端側に、前記円筒刃部を前記位置決め孔に挿入した際に前記位置決め孔の周縁部に当て止めされる摘み部が連設され、
前記切開具は、刃先が先端を向くように先端部に設けられた先端刃と、刃先が側方を向くように側部に設けられた側刃とを有し、前記シースに挿入可能である、
請求項２に記載の臓器モデルの製造装置。
【請求項４】
前記ブロック体は、ハイドロゲルによって構成されたハイドロゲル体であり、
前記穴部は、模擬頸管であり、
前記拡幅部は、前記模擬頸管と連通した模擬子宮内腔である、
請求項１から３のいずれか１項に記載の臓器モデルの製造装置。
【請求項５】
ブロック体と、円筒刃部を有する穴形成具と、支持棒及び前記支持棒の先端側に連設された切刃部を有する切開具とを用意し、
前記円筒刃部によって前記ブロック体に前記ブロック体の長さ方向に延在する穴部を形成し、
前記切開具を前記穴部に挿入し、前記穴部よりも奥方において、前記ブロック体を長さ方向及び幅方向に切開し、内部が、奥方に向かうにつれて幅方向に拡幅し、かつ厚み方向に閉合状態にされた、拡幅部を形成する、
臓器モデルの製造方法。
【発明の詳細な説明】
【技術分野】
【０００１】
本発明は、臓器モデルの製造装置、臓器モデルの製造方法に関する。
【背景技術】
【０００２】
従来、手術等の手技練習用の臓器モデルがある。例えば、特開２０１７−２６７９１号公報には、ハイドロゲル構造体と、ハイドロゲル構造体の表面の外周に形成された皮膜とを有する立体造形モデルが開示される。立体造形モデルは、血管等の内包物を型の所定位置に配置し、型にハイドロゲル前駆体液を注入して硬化させることによって製造される。また、立体造形モデルは、３次元プリンタによってハイドロゲル前駆体液を含む液体を塗布して膜を形成し、紫外線等によって膜を硬化して積層させることによっても製造される。
【先行技術文献】
【特許文献】
【０００３】
【特許文献１】特開２０１７−２６７９１号公報
【発明の概要】
【発明が解決しようとする課題】
【０００４】
しかしながら、従来の臓器モデルは、血管等の模擬内腔が中空状に形成されるものの、例えば子宮等、本来潰れた内腔を有する臓器に対する手技の練習には不向きである。
【０００５】
また、従来の臓器モデルの製造方法では、型又は３次元プリンタ等によって材料を結合させることによって所定形状に形成され、隣り合う部位同士の材料が結合しない状態、かつ閉合した状態となる潰れた模擬内腔の形成は、難しい。
【０００６】
そこで、本発明は、潰れた内腔に対する手技の練習をすることができ、より簡単に製造することができる、臓器モデルの製造装置、臓器モデルの製造方法を提供することを目的とする。
【課題を解決するための手段】
【０００７】
本発明の一態様の臓器モデル製造装置は、穴形成具及び切開具を有する。前記穴形成具は、円筒刃部を有し、前記円筒刃部によってブロック体に前記ブロック体の長さ方向に延在する穴部を形成する。前記切開具は、支持棒及び前記支持棒の先端側に連設された切刃部を有し、前記穴部に挿入可能であり、前記穴部よりも奥方において、前記ブロック体を長さ方向及び幅方向に切開し、内部が、奥方に向かうにつれて幅方向に拡幅し、かつ厚み方向に閉合状態とされた、拡幅部を形成する。
【０００８】
本発明の一態様の臓器モデル製造方法は、ブロック体と、円筒刃部を有する穴形成具と、支持棒及び前記支持棒の先端側に連設された切刃部を有する切開具とを用意し、前記円筒刃部によって前記ブロック体に前記ブロック体の長さ方向に延在する穴部を形成し、前記切開具を前記穴部に挿入し、前記穴部よりも奥方において、前記ブロック体を長さ方向及び幅方向に切開し、内部が、奥方に向かうにつれて幅方向に拡幅し、かつ厚み方向に閉合状態にされた、拡幅部を形成する。
【発明の効果】
【００１０】
本発明によれば、潰れた内腔に対する手技の練習をすることができ、より簡単に製造することができる、臓器モデルの製造装置、臓器モデルの製造方法を提供することができる。
【図面の簡単な説明】
【００１１】
【図１】実施形態に係る、臓器モデル製造装置によって製造された臓器モデルの斜視図である。
【図２】実施形態に係る、臓器モデル製造装置によって製造された臓器モデルの断面図である。
【図３】実施形態に係る、臓器モデル製造装置の構成の一例を示す分解図である。
【図４】実施形態に係る、臓器モデル製造装置の穴形成具を長さ方向に切断した断面図である。
【図５】実施形態に係る、臓器モデル製造装置の切開具の切刃部を長さ方向に直交する方向に切断した断面図である。
【図６】実施形態に係る、臓器モデル製造装置の穴形成具による模擬頸管の形成方法を説明する説明図である。
【図７】実施形態に係る、臓器モデル製造装置の切開具による模擬子宮内腔の形成方法を説明する説明図である。
【図８】実施形態に係る、臓器モデル製造装置の切開具による模擬子宮内腔の形成方法を説明する説明図である。
【図９】実施形態に係る、臓器モデル製造装置の切開具による模擬子宮内腔の形成方法を説明する説明図である。
【図１０】実施形態の変形例に係る、臓器モデル製造装置の構成の一例を示す分解図である。
【図１１】実施形態の変形例に係る、臓器モデル製造装置の穴形成具を長さ方向に切断した断面図である。
【図１２】実施形態の変形例に係る、臓器モデル製造装置の切開具を揺動部に取り付けた状態を説明する説明図である。
【発明を実施するための形態】
【００１２】
以下、図面を参照しながら、実施形態を説明する。
【００１３】
（臓器モデル１の構成）  
図１は、臓器モデル１の斜視図である。図２は、臓器モデル１の断面図である。
【００１４】
図１に示すように、臓器モデル１は、ブロック形状を有し、可塑性を有するハイドロゲル体Ｂによって構成される。ハイドロゲル体Ｂは、高分子が架橋して構成された三次元網目構造体を有する。臓器モデル１は、子宮の頸管を模擬した模擬頸管２と、子宮体部を模擬した模擬子宮内腔３とを有する。
【００１５】
図２に示すように、模擬頸管２は、ハイドロゲル体Ｂの端面に設けられた開口部２ａから凹設され、長さ方向に延在する。模擬頸管２は、内径が所定径Ｄの略円形状を有し、所定長さＬ１を有する。
【００１６】
模擬子宮内腔３は、模擬頸管２と連通するように、模擬頸管２の奥端部２ｂから延設される。模擬子宮内腔３は、内部が、奥方に向かうにつれて幅方向に拡幅し、厚み方向に閉合状態とされる。模擬子宮内腔３は、所定長さＬ２を有する。
【００１７】
図２に示すように、所定径Ｄは、例えば、６ｍｍから９ｍｍの範囲に含まれる径であり、より好ましくは８ｍｍである。また、所定長さＬ１は、例えば、２．５ｃｍから３．５ｃｍの範囲に含まれる長さであり、より好ましくは３ｃｍである。また、所定長さＬ２は、例えば、３ｃｍから４ｃｍの範囲に含まれる長さであり、より好ましくは３．５ｃｍである。
【００１８】
模擬子宮内腔３の奥辺部３ａよりも奥方、及び、模擬子宮内腔３よりも両側方には、模擬子宮内腔３内の流体を外部に漏出させないための余地部３ｂが設けられる。余地部３ｂの幅は、特に限定されないが、例えば、０．５ｃｍ〜２ｃｍの範囲の幅であり、より好ましくは１ｃｍである。
【００１９】
なお、所定径Ｄ、所定長さＬ１、Ｌ２、及び、余地部３ｂの幅は、これに限定されない。
【００２０】
ハイドロゲル体Ｂは、ブロック体を構成する。模擬頸管２は、穴部を構成する。模擬子宮内腔３は、拡幅部を構成する。
【００２１】
すなわち、臓器モデル１は、穴部及び拡幅部を有する。穴部は、ブロック体の端面に設けられた開口部２ａから長さ方向に延在する。拡幅部は、穴部の奥端部２ｂと連通され、内部が、奥方へ向かうにつれて幅方向に拡幅し、かつ厚み方向に閉合状態にされる。
【００２２】
（臓器モデル製造装置４の構成）  
続いて、臓器モデル製造装置４について、説明をする。
【００２３】
図３は、実施形態に係る、臓器モデル製造装置４の構成の一例を示す分解図である。図４は、穴形成具２０を長さ方向に切断した断面図である。図５は、切開具３０の切刃部３４を長さ方向に直交する方向に切断した断面図である。
【００２４】
臓器モデル製造装置４は、例えば樹脂等を材質として構成される。臓器モデル製造装置４は、保持具１０、穴形成具２０、切開具３０、及び、シース４０を有する。
【００２５】
保持具１０は、矩形状を有する基板１１と、基板１１の両側部に立設された一対の側板１２と、基板１１の一方の端部に立設された端板１３と、端板１３に設けられて模擬頸管２の形成位置を定めるための位置決め孔１４とを有する。
【００２６】
保持具１０は、基板１１、一対の側板１２、及び、端板１３の内側に、ハイドロゲル体Ｂを保持する。
【００２７】
図４に示すように、穴形成具２０は、円筒刃部２１、先端開口２２、開口周縁部２３、内棒２４、摘み部２５、及び、凹溝２６を有する。
【００２８】
円筒刃部２１は、外径が所定径Ｄの円筒形状を有し、かつ、所定長さＬ１に端板１３の厚みを加えた長さを有する。また、円筒刃部２１は、先端部に設けられた先端開口２２と、先端開口２２の周縁に設けられた鋸歯形状を有する開口周縁部２３と、先端部の内周側に径方向に架設された内棒２４とを有する。
【００２９】
摘み部２５は、円筒刃部２１の基端側に連設され、円筒刃部２１を位置決め孔１４に挿入した際に位置決め孔１４の周縁部に当て止めされる。摘み部２５は、作業者が摘みやすいように、外周に、軸方向に沿って延在する凹溝２６を有する。
【００３０】
穴形成具２０は、円筒刃部２１によってハイドロゲル体Ｂにハイドロゲル体Ｂの長さ方向に延在する模擬頸管２を形成する。
【００３１】
図３に戻り、切開具３０は、把持部３１、板バネ３２、支持棒３３、及び、切刃部３４を有する。
【００３２】
把持部３１は、長さ方向に延在し、作業者によって把持される。
【００３３】
板バネ３２は、把持部３１の先端側における一方縁部３１ａから延出し、一方とは反対側における他方縁部３１ｂ上に差し掛かるように、アーチ状に延設される。板バネ３２は、中央部に支持棒３３を通すための板バネ開口３２ａが設けられる。
【００３４】
支持棒３３は、把持部３１の先端面中央部に立設され、板バネ開口３２ａ内を介して先端方向へ延出する。支持棒３３の板バネ３２からの突出長は、例えば、所定長さＬ１を有する。
【００３５】
切刃部３４は、支持棒３３の先端側に延設され、支持棒３３によって支持される。切刃部３４は、例えば、所定長さＬ２を有する。切刃部３４は、断面略六角形状を有する（図５）。切刃部３４は、刃先が先端を向くように先端部に設けられた先端刃３４ａと、刃先が両側方を向くように両側部に設けられた側刃３４ｂを有する。
【００３６】
切開具３０は、支持棒３３及び支持棒３３の先端側に連設された切刃部３４を有し、模擬頸管２に挿入可能であり、模擬頸管２よりも奥方において、ハイドロゲル体Ｂを長さ方向及び幅方向に切開し、模擬子宮内腔３を形成する。
【００３７】
シース４０は、外径が所定径Ｄ以下の円筒形状を有する。シース４０は、支持棒３３及び切刃部３４の幅よりも大きい内幅の内周部を有する。シース４０は、例えば、所定長さＬ１を有するが、切刃部３４によって模擬頸管２を傷つけない長さであればよく、これに限定されない。シース４０の基端部には、フランジ４１が設けられる。フランジ４１は、板バネ３２が押し当たるように、板バネ開口３２ａの内径よりも大きい外径を有する。シース４０は、模擬頸管２に挿入可能であり、内周部に支持棒３３及び切刃部３４を挿通可能である。
【００３８】
すなわち、臓器モデル製造装置４は、穴形成具２０及び切開具３０を有する。穴形成具２０は、円筒刃部２１を有し、円筒刃部２１によってブロック体にブロック体の長さ方向に延在する穴部を形成する。切開具３０は、支持棒３３及び支持棒３３の先端側に連設された切刃部３４を有し、穴部に挿入可能であり、穴部よりも奥方において、ブロック体を長さ方向及び幅方向に切開し、内部が、奥方に向かうにつれて幅方向に拡幅し、かつ厚み方向に閉合状態とされた、拡幅部を形成する。
【００３９】
また、臓器モデル製造装置４は、ブロック体を保持するための保持具１０を有し、保持具１０は、基板１１と、基板１１の両側部に立設された一対の側板１２と、基板１１の端部に立設された端板１３と、端板１３に設けられて穴部の形成位置を定めるための位置決め孔１４とを有する。
【００４０】
また、臓器モデル製造装置４は、穴部に挿入可能なシース４０を有する。穴形成具２０は、円筒刃部２１の基端側に、円筒刃部２１を位置決め孔１４に挿入した際に位置決め孔１４の周縁部に当て止めされる摘み部２５が連設される。切開具３０は、刃先が先端を向くように先端部に設けられた先端刃３４ａと、刃先が側方を向くように側部に設けられた側刃３４ｂとを有し、シース４０に挿入可能である。
【００４１】
（臓器モデル製造方法）  
続いて、臓器モデル製造装置４を使用した臓器モデル製造方法を説明する。
【００４２】
図６は、穴形成具２０による模擬頸管２の形成方法を説明する説明図である。
【００４３】
図６に示すように、作業者は、ハイドロゲル体Ｂを一対の側板１２の間に配置し、端板１３に押し当てる。作業者は、手指によって摘み部２５を摘み、円筒刃部２１を位置決め孔１４に挿入し、摘み部２５が位置決め孔１４の周縁部に当たるまで、円筒刃部２１をハイドロゲル体Ｂの中に押し込む。円筒刃部２１内には、開口周縁部２３によって切られたハイドロゲル体Ｂが進入する。作業者は、摘み部２５に回転力を加え、円筒刃部２１を軸周り方向に回転させる。円筒刃部２１が回転すると、内棒２４も、円筒刃部２１から回転力を受けて回転し、軸に直交する方向に円筒刃部２１内のハイドロゲル体Ｂを切断する。作業者が摘み部２５を引き戻すと、円筒刃部２１が円筒刃部２１内のハイドロゲル体Ｂとともに引き抜かれる。ハイドロゲル体Ｂには、模擬頸管２が形成される。
【００４４】
図７〜図９は、切開具３０による模擬子宮内腔３の形成方法を説明する説明図である。
【００４５】
作業者は、保持具１０からハイドロゲル体Ｂを取り出し、図７に示すように、開口部２ａが端板１３とは反対を向くように、ハイドロゲル体Ｂの向きを変えて保持具１０に保持させる。
【００４６】
作業者は、フランジ４１が開口部２ａの周縁部に当て止めされるまで、シース４０を模擬頸管２に挿入する。続いて、板バネ３２がフランジ４１に当て止めされるまで、作業者がシース４０に切開具３０を押し込むと、先端刃３４ａは、長さ方向にハイドロゲル体Ｂを切開する。
【００４７】
図８に示すように、作業者が揺動させると、側刃３４ｂは、幅方向へハイドロゲル体Ｂを切開する。図９に示すように、作業者は、両側方へ側刃３４ｂを揺動させ、ハイドロゲル体Ｂに、模擬子宮内腔３を形成する。
【００４８】
作業者は、模擬子宮内腔３の奥辺部３ａが略直線状に形成されるように、板バネ３２の弾性力を利用し、ハイドロゲル体Ｂの両側部に近付くにつれて深くなるように、また、ハイドロゲル体Ｂの中央部に近付くにつれて浅くなるように、切刃部３４の挿入深さの調整を行ってもよい。
【００４９】
すなわち、臓器モデル製造方法は、ブロック体と、円筒刃部２１を有する穴形成具２０と、支持棒３３及び支持棒３３の先端側に連設された切刃部３４を有する切開具３０とを用意し、円筒刃部２１によってブロック体にブロック体の長さ方向に延在する穴部を形成し、切開具３０を穴部に挿入し、穴部よりも奥方において、ブロック体を長さ方向及び幅方向に切開し、内部が、奥方に向かうにつれて幅方向に拡幅し、かつ厚み方向に閉合状態にされた、拡幅部を形成する。
【００５０】
これにより、臓器モデル製造装置４は、模擬頸管２及び模擬子宮内腔３の強度が保持できるように、ハイドロゲル体Ｂを切開することができ、より簡単な作業によって臓器モデル１を製造することができる。
【００５１】
また、練習者は、臓器モデル１を用い、内腔が潰れた状態と、潅流等によって内腔が拡張した状態との両方の子宮に対する手技の練習をすることができる。例えば、練習者は、模擬頸管２を介して模擬子宮内腔３に内視鏡を挿入し、内視鏡の先端から流体を導入して模擬子宮内腔３を拡張し、内視鏡の湾曲動作、内腔の観察、処置具の操作、又は、電気メスの操作等を練習することができる。
【００５２】
実施形態によれば、本来潰れた内腔を有する臓器に対する手技の練習をすることができ、より簡単に製造することができる、臓器モデル１、臓器モデル製造装置４、及び、臓器モデル製造方法を提供することができる。
【００５３】
（実施形態の変形例）  
実施形態の臓器モデル製造装置４では、作業者の裁量で定めた揺動角度によって切開具３０が揺動されるが、これに限定されない。臓器モデル製造装置５は、切開具１３０の揺動角度を規制できるように構成してもよい。
【００５４】
図１０は、臓器モデル製造装置５の構成の一例を示す分解図である。図１１は、穴形成具１２０を長さ方向に切断した断面図である。図１２は、切開具１３０を揺動部１１６に取り付けた状態を説明する説明図である。本変形例の説明では、実施形態と同じ構成については、図中に同じ符号を付し、説明を省略する。
【００５５】
図１０に示すように、臓器モデル製造装置５は、保持具１１０、穴形成具１２０、及び、切開具１３０を有する。
【００５６】
保持具１１０は、基板１１１を有する。基板１１１には、両側部に一対の側板１２が立設され、一方の端部に端板１３が立設される。基板１１１の他方の端部には、両側部から幅方向中央に向かうにつれて内方に所定角度θ傾斜するように、一対の傾斜縁１１２が設けられる。所定角度θは、模擬子宮内腔３の拡幅角度が最適となるように、予め調整される。一対の傾斜縁１１２の間には、円形凹部１１３が凹設される。円形凹部１１３の内周には、厚み方向中央を凸状とした周状凸部１１３ａが延在する。また、円形凹部１１３の互いに対向配置された開口端１１３ｂは、円形凹部１１３の内径よりも小さい内幅を有する。
【００５７】
円形凹部１１３の内周側には、円盤部１１４が回転可能に設けられる。円盤部１１４の外周には、厚み方向中央を凹状とした周状凹部１１４ａが延設され、円盤部１１４が脱落しないように、周状凸部１１３ａと係合する。円盤部１１４の他方側には、支持板１１５が延出される。支持板１１５の他端部には、揺動部１１６が立設される。揺動部１１６には、支持板１１５の延出方向に沿って貫通した保持孔１１７が設けられる。
【００５８】
図１１に示すように、穴形成具１２０は、傾斜形状の開口周縁部１２３を有する。
【００５９】
図１０に戻り、切開具１３０は、長さ方向に延在する把持部１３１を有する。把持部１３１の先端側には、支持棒１３３が連設される。支持棒１３３の先端側には、切刃部１３４が連設される。切刃部１３４は、片刃１３４ａを有する。支持棒１３３及び切刃部１３４は、保持孔１１７に挿入可能に構成される。図１２に示すように、把持部１３１が保持孔１１７の周縁部に当て止めされるまで、作業者が支持棒１３３及び切刃部１３４を保持孔１１７に挿入すると、切開具１３０は、揺動部１１６に取り付けられる。
【００６０】
続いて、臓器モデル製造装置５による臓器モデル製造方法について説明をする。
【００６１】
作業者は、ハイドロゲル体Ｂを保持具１１０に保持させ、開口周縁部１２３から円筒刃部２１を位置決め孔１４に挿入してハイドロゲル体Ｂの中に押し込む。作業者が、円筒刃部２１を軸周り方向に回転させて摘み部２５を引き戻すと、ハイドロゲル体Ｂには、模擬頸管２が形成される。
【００６２】
作業者は、開口部２ａが他方へ向くように向きを変え、ハイドロゲル体Ｂを保持具１１０に保持させる。
【００６３】
作業者が、片刃１３４ａを一側方へ向け、把持部１３１が保持孔１１７の周縁部に当て止めされるまで、切刃部１３４を保持孔１１７に押し込むと、ハイドロゲル体Ｂは、長さ方向に切開される。支持板１１５が傾斜縁１１２によって当て止めされるまで、作業者が揺動部１１６を他側方へ揺動させると、円盤部１１４の回転によって切開具１３０が回転し、片刃１３４ａは、ハイドロゲル体Ｂを一側方へ切開する。
【００６４】
続いて、作業者は、切刃部１３４を保持孔１１７から引き抜き、片刃１３４ａを一側方とは反対の他側方へ向け、把持部１３１が保持孔１１７の周縁部に当て止めされるまで、切刃部１３４を保持孔１１７に押し込む。支持板１１５が傾斜縁１１２によって当て止めされるまで、作業者が揺動部１１６を一側方へ揺動させると、片刃１３４ａ、ハイドロゲル体Ｂを他側方へ切開する。
【００６５】
これにより、臓器モデル製造装置５では、切開具１３０の揺動角度が傾斜縁１１２によって所定角度θに規制され、より確実に、一定の拡幅角度の拡幅部を有する臓器モデル１を製造することができる。
【００６６】
なお、実施形態及び変形例では、ブロック体がハイドロゲル体Ｂによって構成されるが、これに限定されない。ブロック体は、例えば変形可能な樹脂等によって構成されてもよい。
【００６７】
なお、実施形態及び変形例では、支持棒３３が所定長さＬ１を有し、切刃部３４が所定長さＬ２を有するがこれに限定されない。支持棒３３及び切刃部３４は、これとは異なる長さによって構成されてもよい。
【００６８】
なお、実施形態及び変形例では、臓器モデル１が子宮のモデルの例を説明したが、これに限定されない。臓器モデル１は、他の臓器のモデルであってもよい。
【００６９】
本発明は、上述した実施の形態に限定されるものではなく、本発明の要旨を変えない範囲において、種々の変更、改変等が可能である。
【符号の説明】
【００７０】
１…臓器モデル、２…模擬頸管、２ａ…開口部、２ｂ…奥端部、３…模擬子宮内腔、３ａ…奥辺部、３ｂ…余地部、４、５…臓器モデル製造装置、１０、１１０…保持具、１１、１１１…基板、１２…側板、１３…端板、１４…位置決め孔、２０、１２０…穴形成具、２１…円筒刃部、２２…先端開口、２３…開口周縁部、２４…内棒、２５…摘み部、２６…凹溝、３０、１３０…切開具、３１、１３１…把持部、３１ａ…一方縁部、３１ｂ…他方縁部、３２…板バネ、３２ａ…板バネ開口、３３、１３３…支持棒、３４、１３４…切刃部、３４ａ…先端刃、３４ｂ…側刃、４０…シース、４１…フランジ、１１２…傾斜縁、１１３…円形凹部、１１３ａ…周状凸部、１１３ｂ…開口端、１１４…円盤部、１１４ａ…周状凹部、１１５…支持板、１１６…揺動部、１１７…保持孔、１２３…傾斜形状の開口周縁部、１３４ａ…片刃、Ｂ…ハイドロゲル体、Ｄ…所定径、Ｌ１、Ｌ２…所定長さ、θ…所定角度
【図１】
0006908296.tif 000002
【図２】
0006908296.tif 000003
【図３】
0006908296.tif 000004
【図４】
0006908296.tif 000005
【図５】
0006908296.tif 000006
【図６】
0006908296.tif 000007
【図７】
0006908296.tif 000008
【図８】
0006908296.tif 000009
【図９】
0006908296.tif 000010
【図１０】
0006908296.tif 000011
【図１１】
0006908296.tif 000012
【図１２】
0006908296.tif 000013